(57)【要約】      （修正有）【課題】形状変化の自由度を大きくすることができるヘアバンドを提供する。【解決手段】ヘアバンド１００は、帯状部材１０と、長尺部材２０を備えている。帯状部材１０は、空洞部１１を備えている。長尺部材２０の長軸Ｂが、帯状部材１０の長手方向Ａに沿うように、かつ、帯状部材１０および長尺部材２０の相対移動が可能となるように、長尺部材２０が帯状部材１０に内蔵されている。これにより、ヘアバンド１００の形状変形として、長尺部材２０の塑性変形に追従した変形に加えて、長尺部材２０および帯状部材１０の相対移動に基づく変形も可能となる。従って、ヘアバンド１００の形状変化の自由度が大きくなり得る。【選択図】図１
0003230787.tif 000002
【実用新案登録請求の範囲】
【請求項１】
長軸が規定されるとともに、塑性変形が可能に構成された長尺部材と、
長手方向が規定されるとともに、前記長軸が前記長手方向に沿うよう前記長尺部材が内蔵された帯状部材と、を備え、
装着者の頭髪が囲われるように前記長尺部材を前記塑性変形させることで、前記塑性変形に追従して前記帯状部材も変形し、前記帯状部材が前記頭髪と当接しつつ前記頭髪において保持されるヘアバンドにおいて、
前記帯状部材は、
少なくとも空洞部を備え、
前記長尺部材は、
前記帯状部材の前記空洞部に内蔵され、前記空洞部にて前記帯状部材との相対移動が可能に構成されたヘアバンド。
【請求項２】
請求項１に記載のヘアバンドにおいて、
前記帯状部材は、更に、
前記空洞部の外から前記空洞部に通じる連通孔を備え、
前記長尺部材は、
前記連通孔を介して、前記空洞部にて内蔵された状態からの抜去が可能に構成されたヘアバンド。
【請求項３】
請求項１または請求項２に記載のヘアバンドにおいて、
前記帯状部材は、
長方形状に構成されたヘアバンド。
【請求項４】
請求項１乃至請求項３の何れか一項に記載のヘアバンドにおいて、
前記帯状部材は、更に、
所定部材の収納が可能なように構成された衣嚢部を備えたヘアバンド。
【請求項５】
請求項４に記載のヘアバンドにおいて、
前記帯状部材は、
複数個の前記衣嚢部が前記長手方向に沿って配設されるように構成されたヘアバンド。
【請求項６】
請求項４または請求項５に記載のヘアバンドにおいて、
前記帯状部材の前記衣嚢部は、
四角形状に構成されるとともに前記四角形状の１辺において開口端を備え、前記開口端から前記所定部材が挿入されることで前記収納が可能となるように構成され、
前記衣嚢部の前記開口端は、
前記所定部材が収納されている状態で、前記開口端にて前記所定部材を係止する返し部を備えたヘアバンド。
【請求項７】
請求項４乃至請求項６の何れか一項に記載のヘアバンドにおいて、
前記帯状部材の前記衣嚢部は、
前記収納される前記所定部材として、保温材料または保冷材料が用いられるように構成されたヘアバンド。
【請求項８】
請求項１乃至請求項７の何れか一項に記載のヘアバンドにおいて、
前記長尺部材は、
可塑性の材料で構成された芯材と、
前記芯材を被覆する被覆材と、を備えたヘアバンド。
【請求項９】
請求項８に記載のヘアバンドにおいて、
前記長尺部材の前記被覆材は、
前記芯材の端部を２重に被覆するように構成されたヘアバンド。
【請求項１０】
請求項８または請求項９に記載のヘアバンドにおいて、
前記長尺部材の前記芯材は、
アルミニウムで構成され、
前記長尺部材の前記被覆材は、
樹脂で構成されたヘアバンド。
【考案の詳細な説明】
【技術分野】
【０００１】
本考案は、少なくとも帯状部材を備え、帯状部材が装着者の頭髪と当接しつつ頭髪において保持されるヘアバンドに関する。
【背景技術】
【０００２】
ヘアバンドにおいては、単に頭髪をまとめる機能のみならず、髪型に変化を付す等の役割が期待される場合もある。例えば、下記特許文献１、２では、帯状部材および長尺部材を備えたヘアバンドが、開示されている。
【０００３】
この長尺部材は、長軸が規定されるとともに、塑性変形が可能に構成されている。この帯状部材は、長手方向が規定されるとともに、長軸が長手方向に沿うよう長尺部材が内蔵されるように構成されている。装着者の頭髪が囲われるように長尺部材を塑性変形させることで、塑性変形に追従して帯状部材も変形する。そして、帯状部材が、頭髪と当接しつつ頭髪において保持される。これにより、手軽に髪型に変化を付すことが可能となる。
【先行技術文献】
【特許文献】
【０００４】
【特許文献１】特開平０８−２１４９３５号公報
【特許文献２】特開２０１３−０６６６８６号公報
【考案の概要】
【０００５】
一方で、この種のヘアバンドにおいては、ヘアバンドそのものに形状変化を持たせ、ヘアバンドをファッションの一部として取り入れる場合もある。この場合、装着者による様々なアレンジに応じるために、形状変化の自由度を大きくすることが要望されている。上記特許文献において、このような課題や、解決するための技術については、何ら触れられていない。
【０００６】
本考案の目的は、長軸が規定されるとともに塑性変形が可能に構成された長尺部材と、長手方向が規定されるとともに長軸が長手方向に沿うよう長尺部材が内蔵された帯状部材とを備えたヘアバンドであって、装着者の頭髪が囲われるように長尺部材を塑性変形させることで、塑性変形に追従して帯状部材も変形し、帯状部材が頭髪と当接しつつ頭髪において保持されるヘアバンドにおいて、形状変化の自由度を大きくすることができるものを提供することにある。
【０００７】
本考案によるヘアバンドは、長軸が規定されるとともに塑性変形が可能に構成された長尺部材と、長手方向が規定されるとともに長軸が長手方向に沿うよう長尺部材が内蔵された帯状部材とを備える。本考案によるヘアバンドにおいては、装着者の頭髪が囲われるように長尺部材を塑性変形させることで、塑性変形に追従して帯状部材も変形し、帯状部材が頭髪と当接しつつ頭髪において保持される。
【０００８】
本考案によるヘアバンドの特徴は、帯状部材が、少なくとも空洞部を備え、長尺部材が、帯状部材の空洞部に内蔵され空洞部にて帯状部材との相対移動が可能に構成されたことにある。
【０００９】
これによれば、ヘアバンドの形状変形として、長尺部材の塑性変形に追従した変形に加えて、長尺部材および帯状部材の相対移動に基づく変形も可能となる。従って、ヘアバンドの形状変化の自由度が大きくなり得る。
【００１０】
上記考案に係るヘアバンドにおいては、帯状部材が、更に空洞部の外から空洞部に通じる連通孔を備え、長尺部材が、連通孔を介して空洞部にて内蔵された状態からの抜去が可能に構成されてもよい。
【００１１】
上記考案に係るヘアバンドにおいては、帯状部材が、長方形状に構成されてもよい。
【００１２】
上記考案に係るヘアバンドにおいては、帯状部材が、更に所定部材の収納が可能なように構成された衣嚢部を備えてもよい。
【００１３】
上記考案に係るヘアバンドにおいては、帯状部材が、複数個の衣嚢部が長手方向に沿って配設されるように構成されてもよい。
【００１４】
上記考案に係るヘアバンドにおいては、帯状部材の衣嚢部が、四角形状に構成されるとともに四角形状の１辺において開口端を備え、開口端から所定部材が挿入されることで収納が可能となるように構成され、衣嚢部の開口端が、所定部材が収納されている状態で、開口端にて所定部材を係止する返し部を備えてもよい。
【００１５】
上記考案に係るヘアバンドにおいては、帯状部材の衣嚢部が、収納される所定部材として保温材料または保冷材料が用いられるように構成されてもよい。
【００１６】
上記考案に係るヘアバンドにおいては、長尺部材が、可塑性の材料で構成された芯材と、芯材を被覆する被覆材とを備えてもよい。
【００１７】
上記考案に係るヘアバンドにおいては、長尺部材の被覆材が、芯材の端部を２重に被覆するように構成されてもよい。
【００１８】
上記考案に係るヘアバンドにおいては、長尺部材の芯材が、アルミニウムで構成され、長尺部材の被覆材が、樹脂で構成されてもよい。
【図面の簡単な説明】
【００１９】
【図１】本考案の実施形態に係るヘアバンドの全体概要を説明するための図である。
【図２】図１に示したヘアバンドの帯状部材の衣嚢部を説明するための図である。
【図３】図１に示したヘアバンドの長尺部材を説明するための図である。
【図４】図１に示したヘアバンドの長尺部材の拡大断面図である。
【図５】図１に示したヘアバンドが装着者の頭髪に適用された場合の一例を説明するための図である。
【図６】本考案の実施形態の変形例に係るヘアバンドの長尺部材を説明するための図である。
【考案を実施するための形態】
【００２０】
以下、本考案によるヘアバンドの実施形態について図面を参照しつつ説明する。
【００２１】
図１は、本考案の実施形態に係るヘアバンド１００の全体概要を説明するための図である。ヘアバンド１００は、帯状部材１０と、長尺部材２０とを備えている。帯状部材１０は、長方形の袋状となるよう縫製にて形成され、表裏面および長手方向Ａが規定される。なお、帯状部材１０の素材としては、長尺部材２０の変形に追従する素材であれば限定されず、例えば、布等が用いられると好適である。帯状部材１０のサイズとしては、例えば、横９００ｍｍ、縦１５０ｍｍであると好適である。
【００２２】
長尺部材２０は、長軸Ｂが規定されるとともに塑性変形が可能に構成されている。長軸Ｂが長手方向Ａに沿うように、帯状部材１０は、後述する空洞部１１にて長尺部材２０を内蔵するよう構成されている。
【００２３】
帯状部材１０は、空洞部１１と、連通孔１２と、衣嚢部１３と、を備えている。空洞部１１は、袋状の帯状部材１０の内部空洞に相当する。連通孔１２は、空洞部１１の外から空洞部１１に通じるように構成されており、帯状部材１０の角付近の長辺上に配設されている。連通孔１２は、長尺部材２０が通過可能なように、長尺部材２０の径よりも大きいサイズで構成されている。
【００２４】
空洞部１１に向けて、長尺部材２０が連通孔１２から挿入され得るようになっている。このようにして、長尺部材２０は、帯状部材１０の空洞部１１に内蔵されるようになっている。内蔵された長尺部材２０は、空洞部１１にて帯状部材１０との相対移動が可能となっている。
【００２５】
また、空洞部１１にて内蔵された状態の長尺部材２０は、連通孔１２を介して抜去が可能に構成されている。例えば、帯状部材１０の洗濯時など、長尺部材２０を容易に抜去することができる。必要に応じて、連通孔１２を介した長尺部材２０の挿入および抜去は、繰り返せるようになっている。なお、長尺部材２０の耐久性を高く設定する場合には、連通孔１２を設けなくても良い。連通孔１２の位置は、図に示す位置が好ましいが、その他の位置とすることもできる。
【００２６】
衣嚢部１３は、２個で構成されており、帯状部材１０の表裏面のうち片面に備えられている。２個の衣嚢部１３は、四角形状に構成されており、それぞれ１辺において開口端１３ａが備えられている。２個の開口端１３ａは、それぞれ長手方向Ａに対する両端に位置している。他の３辺が、帯状部材１０の片面に縫い付けられることで、２個の衣嚢部１３が、長手方向Ａに沿って同軸的に配設されている。
【００２７】
このように構成された衣嚢部１３には、開口端１３ａから保温材料（カイロなど）または保冷材料（パウチ状保冷剤など）などの所定部材が挿入されて、収納が可能となっている。これにより、装着時において、快適性を向上させることができる。
【００２８】
図２は、ヘアバンド１００の帯状部材１０の衣嚢部１３を説明するための図である。この図は、衣嚢部１３を含む部位の長軸Ｂに沿った断面図である。衣嚢部１３の開口端１３ａには、返し部１３ａ１が備えられている。この返し部１３ａ１は、開口端１３ａに対応する四角形状の１辺にて、縁を衣嚢部１３内側に折り返して形成されている。これにより、保温材料または保冷材料などの所定部材が、収納されている状態で、開口端１３ａの返し部１３ａ１にて係止されるようになっている。これにより、装着時において、所定部材の衣嚢部１３からの脱落を抑制することができる。
【００２９】
図３は、ヘアバンド１００の長尺部材２０を説明するための図である。長尺部材２０は、芯材２１と、被覆材２２と、を備えている。芯材２１は、アルミニウムのワイヤで構成されている。芯材２１の材料は、可塑性のものであればよく、アルミニウムに限定されない。芯材２１の長さは、帯状部材１０（の空洞部１１）の長手方向Ａにおける長さと同じになるよう、調整されている。
【００３０】
被覆材２２は、被覆膜２２ａと、チューブ２２ｂと、キャップ２２ｃと、で構成されている。これらの材料は、樹脂である。被覆膜２２ａは、芯材２１の側面全体を被覆するように形成されている。チューブ２２ｂは、芯材２１の両端部であって、被覆膜２２ａで被覆された外側を、所定の間隙をもって被覆している。キャップ２２ｃは、両先端を被覆するように形成されている。このように、長尺部材２０の中央部では、被覆膜２２ａが露呈するようになっている。
【００３１】
図４の長尺部材２０の断面図に示すように、長尺部材２０の両端部は、被覆膜２２ａおよびチューブ２２ｂにて２重被覆となるよう構成されている。これにより、変形頻度が比較的大きい両端部にて、芯材２１を補強することができる。また、キャップ２２ｃによる両先端の被覆により、帯状部材１０の穴あきを抑制でき、安全性が向上し得る。
【００３２】
図５は、ヘアバンド１００が装着者の頭髪に適用された場合の一例を説明するための図である。装着者の頭髪が囲われるように長尺部材２０を塑性変形させることで、塑性変形に追従して帯状部材１０も変形する。帯状部材１０が頭髪と当接しつつ頭髪において保持される。このため、手軽に髪型に変化を付すことができ、締め付けないため、長時間の装着であっても不快感を抑制することができる。
【００３３】
更に、ヘアバンドの形状変形として、長尺部材２０の塑性変形に追従した変形に加えて、長尺部材２０および帯状部材１０の相対移動に基づく変形も可能となる。従って、ヘアバンド１００の形状変化の自由度が大きくなり得、図５に示す適用例など、様々なアレンジが可能となる。
【００３４】
なお、本考案によるヘアバンドにおける構成要素の形状、材料等は、実用新案登録請求の範囲のものであればよく、上記実施形態のものに限定されない。
【００３５】
上記実施形態においては、長尺部材２０の両端部が２重被覆となるよう構成されているが、これに代えて、長尺部材２０の全体が２重被覆となっていてもよい。この場合、例えば、図６に示すように、チューブ２２ｂが、被覆膜２２ａで被覆された外側全体を被覆するように形成されてもよい。
【符号の説明】
【００３６】
１００…ヘアバンド、１０…帯状部材、１１…空洞部、１２…連通孔、１３…衣嚢部、１３ａ…開口端、１３ａ１…返し部、２０…長尺部材、２１…芯材、２２…被覆材、２２ａ…被覆膜、２２ｂ…チューブ、Ａ…長手方向、Ｂ…長軸
【図１】
0003230787.tif 000003
【図２】
0003230787.tif 000004
【図３】
0003230787.tif 000005
【図４】
0003230787.tif 000006
【図５】
0003230787.tif 000007
【図６】
0003230787.tif 000008